(57)【要約】【課題】部品点数を増加させず機構を簡略化して撮像装置の大型化を防ぐと共に、見やすいファインダ視野像の観察を可能とした撮像装置及び制御方法を提供する。【解決手段】撮像装置は、ファインダ内表示部１１５を有する撮像装置本体１００、マグニファイヤ内表示部１１８を有するマグニファイヤ１２０を備える。撮像装置のＣＰＵ１０１は、撮影者が観察する撮像範囲が第１の撮像範囲１０９から第２の撮像範囲１１０に切り替えられた場合に、撮像装置本体１００にマグニファイヤ１２０が装着された場合には、次の表示を行う。ファインダ内表示部１１５の撮影情報を情報伝達部１３１を介してマグニファイヤ内表示部１１８により第２の撮像範囲１１０の外側の近傍に表示する。【選択図】図１１
2011158762.tif 000002
【特許請求の範囲】
【請求項１】
被写界像の撮像を行う撮像素子を有する撮像装置本体と、該撮像装置本体に装着されファインダ視野像の拡大を行うマグニファイヤと、が情報伝達手段を介して電気的に接続される撮像装置であって、
前記撮像装置本体に設けられ、撮影者が観察するための第１の撮像範囲の外側の近傍に位置してファインダ内に撮影情報を表示するファインダ内表示部と、
前記マグニファイヤに設けられ、撮影情報を表示するマグニファイヤ内表示部と、
前記第１の撮像範囲と、該第１の撮像範囲よりも狭い範囲を有する第２の撮像範囲とを切り替える切替手段と、
前記切替手段により撮影者が観察するための撮像範囲が前記第１の撮像範囲から前記第２の撮像範囲に切り替えられた場合に、前記撮像装置本体に前記マグニファイヤが装着された場合には、前記ファインダ内表示部の撮影情報を前記情報伝達手段を介して前記マグニファイヤ内表示部により前記第２の撮像範囲の外側の近傍に表示する制御を行う制御手段と、
を備えることを特徴とする撮像装置。
【請求項２】
前記制御手段は、前記撮像装置本体に前記マグニファイヤが装着された場合に、撮影者が観察するための撮像範囲が前記第１の撮像範囲に設定されていた場合には、撮影者が観察するための撮像範囲を前記第１の撮像範囲から前記第２の撮像範囲に切り替える制御を行うことを特徴とする請求項１に記載の撮像装置。
【請求項３】
前記制御手段は、前記撮像装置本体に前記マグニファイヤが装着された場合に、前記ファインダ内表示部を非表示とし、前記ファインダ内表示部の撮影情報を前記情報伝達手段を介して前記マグニファイヤ内表示部に表示することを特徴とする請求項１又は２に記載の撮像装置。
【請求項４】
前記第２の撮像範囲は、前記撮像装置本体への前記マグニファイヤの装着により拡大されると共に前記第１の撮像範囲と同じ視野角で観察可能に設定され、
前記撮像装置本体への前記マグニファイヤの装着時の前記マグニファイヤ内表示部に表示される撮影情報と、前記撮像装置本体への前記マグニファイヤの非装着時の前記ファインダ内表示部に表示される撮影情報は、見かけ上、同じ大きさになるよう設定されていることを特徴とする請求項１又は２に記載の撮像装置。
【請求項５】
前記第１の撮像範囲は、前記撮像素子の有効画素の全てを用いて撮影を行う第１の撮影モードに使用される撮像範囲であり、前記第２の撮像範囲は、前記撮像素子の有効画素を部分的に用いて撮影を行う第２の撮影モードに使用される撮像範囲であることを特徴とする請求項１、２、４のいずれか１項に記載の撮像装置。
【請求項６】
被写界像の撮像を行う撮像素子と撮影者が観察するための第１の撮像範囲の外側の近傍に位置してファインダ内に撮影情報を表示するファインダ内表示部とを有する撮像装置本体と、該撮像装置本体に装着されファインダ視野像の拡大を行うと共に撮影情報を表示するマグニファイヤ内表示部を有するマグニファイヤと、が情報伝達手段を介して電気的に接続される撮像装置の制御方法であって、
前記第１の撮像範囲と、該第１の撮像範囲よりも狭い範囲を有する第２の撮像範囲とを切り替える切替工程と、
前記切替工程により撮影者が観察するための撮像範囲が前記第１の撮像範囲から前記第２の撮像範囲に切り替えられた場合に、前記撮像装置本体に前記マグニファイヤが装着された場合には、前記ファインダ内表示部の撮影情報を前記情報伝達手段を介して前記マグニファイヤ内表示部により前記第２の撮像範囲の外側の近傍に表示する制御を行う制御工程と、
を有することを特徴とする制御方法。
【発明の詳細な説明】
【技術分野】
【０００１】
本発明は、撮像素子の有効撮像範囲を部分的に使用して撮像することが可能でファインダ視野像を拡大可能な撮像装置及び制御方法に関する。
【背景技術】
【０００２】
撮像装置（デジタルカメラ）に搭載される撮像素子は、画素数が年々増加し、より高精細な画像の撮像が可能となっている。他方、撮像装置で報道写真を撮影する場合、撮影から報道（または掲載）までの時間短縮、連写速度や連続撮影可能枚数の向上を図るため、撮像素子を部分的に使用して撮影し、撮影画像を印刷またはディスプレイ表示により拡大して使用することが多くなっている。また、撮像素子を部分的に使用して撮影するクロップ撮影では実用上の焦点距離が延びるため、望遠撮影を目的としたクロップ撮影モードの使用も多くなっている。
【０００３】
上記クロップ撮影に関しては以下の技術が提案されている（例えば、特許文献１参照）。特許文献１記載のカメラは、液晶表示パネルをピント板の近傍に配置し、液晶表示パネルの液晶パターン領域における光の透過／非透過を切り替え可能としたものである。ファインダ視野領域を制御することで、撮影者がクロップ撮影モード時の撮像範囲を観察することを可能としている。
【０００４】
特許文献１記載のカメラでは、クロップ撮影モードで撮影を行う際にファインダ上で撮像範囲が小さく見えてしまうという問題がある。また、液晶表示パネルの液晶パターン領域を非透過部に切り替えた場合は、各種撮影情報を表示するためのファインダ内表示部と撮像範囲が離れる結果、ファインダ内表示部の各種撮影情報が見づらくなるという問題がある。
【０００５】
この問題に対して以下の技術が提案されている（例えば、特許文献２参照）。特許文献２記載のカメラは、クロップ撮影モード時にファインダ視野枠とファインダ内表示部が一体で移動する機構（ファインダ視野枠の移動機構）と、ファインダ接眼光学系を変倍可能な機構（接眼レンズの変倍機構）をカメラ本体内部に備えている。
【先行技術文献】
【特許文献】
【０００６】
【特許文献１】特開平１１−２４９２０４号公報
【特許文献２】特開平０５−０１９３３３号公報
【発明の概要】
【発明が解決しようとする課題】
【０００７】
しかしながら、特許文献２記載の技術は、カメラ本体内部にファインダ視野枠の移動機構と接眼レンズの変倍機構を備えているためカメラ本体内部の機構が複雑になり、カメラの大型化につながるという問題があった。また、接眼レンズの変倍に伴ってファインダ内表示部の表示も変倍してしまうため、ファインダ内表示部の見え方が不自然になるという問題があった。
【０００８】
本発明の目的は、部品点数を増加させず機構を簡略化して撮像装置を大型化することなく、見やすいファインダ視野像の観察を可能とした撮像装置及び制御方法を提供することにある。
【課題を解決するための手段】
【０００９】
上記目的を達成するために、本発明は、被写界像の撮像を行う撮像素子を有する撮像装置本体と、該撮像装置本体に装着されファインダ視野像の拡大を行うマグニファイヤと、が情報伝達手段を介して電気的に接続される撮像装置であって、前記撮像装置本体に設けられ、撮影者が観察するための第１の撮像範囲の外側の近傍に位置してファインダ内に撮影情報を表示するファインダ内表示部と、前記マグニファイヤに設けられ、撮影情報を表示するマグニファイヤ内表示部と、前記第１の撮像範囲と、該第１の撮像範囲よりも狭い範囲を有する第２の撮像範囲とを切り替える切替手段と、前記切替手段により撮影者が観察するための撮像範囲が前記第１の撮像範囲から前記第２の撮像範囲に切り替えられた場合に、前記撮像装置本体に前記マグニファイヤが装着された場合には、前記ファインダ内表示部の撮影情報を前記情報伝達手段を介して前記マグニファイヤ内表示部により前記第２の撮像範囲の外側の近傍に表示する制御を行う制御手段と、を備えることを特徴とする。
【発明の効果】
【００１０】
本発明によれば、第１の撮像範囲から第２の撮像範囲に切り替えられ、撮像装置本体にマグニファイヤが装着された場合、ファインダ内表示部の撮影情報をマグニファイヤ内表示部により第２の撮像範囲の外側の近傍に表示する。これにより、部品点数を増加させず機構を簡略化して撮像装置を大型化することなく、第２の撮像範囲を使用した撮影時においても見やすいファインダ視野像を観察することが可能となる。
【図面の簡単な説明】
【００１１】
【図１】本発明の実施の形態に係る撮像装置の構成を示す概略図である。
【図２】撮像装置に装着したマグニファイヤの構成を示す概略図である。
【図３】高分子分散液晶パネルの模式的な構成を示す図である。
【図４】高分子分散液晶パネルの電極パターン（ＣＯＭ電極、Ｌ１電極、Ｌ２電極）を示す図を示す図である。
【図５】ファインダ視野（第１の撮像範囲）を示す図である。
【図６】ファインダ視野（第２の撮像範囲）を示す図である。
【図７】ファインダ視野（マグニファイヤ装着時）を示す図である。
【図８】撮像装置の電気的な構成を示すブロック図である。
【図９】撮像装置の基本動作を示すフローチャートである。
【図１０】撮像装置のマグニファイヤ非装着時の撮像範囲切替動作を示すフローチャートである。
【図１１】撮像装置のマグニファイヤ装着時のクロップ撮影動作を示すフローチャートである。
【発明を実施するための形態】
【００１２】
以下、本発明の実施の形態を図面に基づいて説明する。
【００１３】
図１は、本発明の実施の形態に係る撮像装置の構成を示す概略図である。図２は、撮像装置に装着したマグニファイヤの構成を示す概略図である。
【００１４】
図１、図２において、撮像装置は、ＣＰＵ１０１、ＣＣＤ１０６、ファインダ内表示部１１５、主ミラー１２６、ペンタプリズム１２７、情報伝達部１３１ａ等を有する撮像装置本体１００と、撮影レンズ１０５を備えたデジタルカメラとして構成されている。また、マグニファイヤ１２０は、撮像装置本体１００に着脱可能に構成されており、マグニファイヤ内表示部１１８、情報伝達部１３１ｂ、光路変換プリズム１３４、マグニファイヤ内表示結像レンズ１３５、拡大光学系１３６を備えている。撮像装置本体１００とマグニファイヤ１２０は、後述の情報伝達部１３１を介して電気的に接続が可能に構成されている。
【００１５】
撮像装置は、第１の撮像範囲を使用して撮影を行う通常撮影モード（第１の撮影モード）と、第２の撮像範囲を使用して撮像を行うクロップ撮影モード（第２の撮影モード）を有する。第１の撮像範囲及び第２の撮像範囲の詳細は後述する。ＣＰＵ１０１は、撮像装置各部の制御を司るものであり、制御プログラムを実行することで後述の各フローチャートに示す処理を実行する。撮影レンズ１０５は、撮影対象の被写界光を撮像素子であるＣＣＤ１０６に結像させる。尚、図１では撮影レンズ１０５は便宜的に１枚のレンズ１０５ａで図示しているが、実際には複数枚のレンズから構成される。
【００１６】
焦点検出板（以後ピント板と称する）１２８は、撮影レンズ１０５を透過した被写界光が結像されるＣＣＤ１０６の結像面と等価の結像面に配置されている。被写界光による被写界像は主ミラー１２６で反射され、ピント板１２８に１次結像される。撮像装置は、撮影者がピント板１２８に１次結像された被写界像をペンタプリズム１２７及び接眼レンズ１２１を通じて見ることができるいわゆるＴＴＬ方式の光学ファインダ構成となっている。
【００１７】
視野枠１２３は、被写体光束の周辺部を遮光することにより、ＣＣＤ１０６にて撮像される領域を撮影者に観察させるためのものであり、ピント板１２８の近傍に配置されている。図３に示すように、視野枠１２３を介して撮影者が観察するための（ＣＣＤ１０６の有効画素全てを使用する）撮像範囲を第１の撮像範囲１０９とする。また、第１の撮像範囲１０９よりも狭い（ＣＣＤ１０６を部分的に使用する）撮像範囲を第２の撮像範囲１１０とする。ファインダ内表示部１１５は、導光プリズム（不図示）、ペンタプリズム１２７、接眼レンズ１２１を介して、ファインダ内に撮像装置の各種撮影情報（絞り値やシャッタ速度など）を表示することで撮影者に報知するためのものである。
【００１８】
情報伝達部１３１ａは、接眼レンズ１２１の近傍に配置されている。撮像装置側の情報伝達部１３１ａとマグニファイヤ側の情報伝達部１３１ｂが情報伝達部１３１（図８）を構成している。撮像装置本体１００に対するマグニファイヤ１２０の装着時には（図２）、撮像装置側の情報伝達部１３１ａとマグニファイヤ側の情報伝達部１３１ｂとが電気的に接続される。情報伝達部１３１ａと情報伝達部１３１ｂの接続部分を介して、マグニファイヤ１２０が撮像装置本体１００に装着された否かの検知と、マグニファイヤ内表示部１１８の制御がＣＰＵ１０１により行われる。
【００１９】
主ミラー１２６は、半透過ミラーとして構成されている。主ミラー１２６を透過した一部の光束はサブミラー１２２を通じて焦点検出ユニット１１９に導かれ、周知の位相差検出方式の焦点検出動作が行われる。測光センサ１３０は、シリコンフォトダイオードから構成されている。測光レンズ１２９によってピント板１２８に結像した被写界像を測光センサ１３０のチップ部に２次結像させることで、被写界の輝度分布を検出する。測光センサ１３０のチップ部は、測光領域（例えば横５×縦３の１５領域）に分割されており、各々の領域に対応した被写界の輝度検出を可能としている。
【００２０】
高分子分散液晶（以後ＰＮ液晶と称する）パネル１１２は、ＰＮ液晶から構成されており、ピント板１２８の近傍に配置されている。ＰＮ液晶パネル１１２は、光学ファインダを覗いている撮影者に対し、第２の撮像範囲１１０（図３）と、焦点検出ユニット１１９の焦点検出動作の状態を表示するためのものである。ＰＮ液晶パネル１１２の近傍には、ファインダ内表示部１１５が配置される。
【００２１】
撮影を行う際に撮影者がレリーズスイッチ（以後ＳＷ）１１４（図８）を押すと、主ミラー１２６は撮影レンズ１０５の光路外に退避する。一方、撮影レンズ１０５によって集光された被写界光は、フォーカルプレーンシャッタ（以後シャッタと称する）１３３にてその光量制御がなされ、ＣＣＤ１０６によって被写界像として光電変換処理される。シャッタ１３３は、通電によりシャッタ１３３の先幕を開放するマグネットＭＧ−１と、通電によりシャッタ１３３の後幕を閉じるマグネットＭＧ−２を備えている。光電変換処理後の画像データは記録媒体に記録され、外部表示部１１３（図８）に画像として表示される。撮像装置の電気的な構成は図８により後述する。
【００２２】
図３は、ＰＮ液晶パネルの模式的な構成を示す図である。図４は、ＰＮ液晶パネルの電極パターン（ＣＯＭ電極、Ｌ１電極、Ｌ２電極）を示す図である。
【００２３】
図３、図４において、ＰＮ液晶パネル１１２は、上板ガラス１１２ａと、下板ガラス１１２ｂと、両ガラス間に封止された液晶層１１２ｃから構成されている。また、上板ガラス１１２ａの液晶側表面と、下板ガラス１１２ｂの液晶側表面には、ＩＴＯ（透明電極）による電極パターンがそれぞれ形成されている。即ち、上板ガラス１１２ａにおける液晶層１１２ｃに対向する表面には、全面ベタにＣＯＭ（コモン）電極がパターニングされている。また、下板ガラス１１２ｂにおける液晶層１１２ｃに対向する表面には、第２の撮像範囲１１０の外周部となるＬ２電極がパターニングされると共に、他の領域（ハッチングで示す領域）にＬ１電極がパターニングされている。
【００２４】
ＣＯＭ電極とＬ１電極及びＬ２電極との間に電圧を加えることで、第２の撮像範囲１１０の外周部の透明／非透明（外周部における光の透過／不透過状態）を切り替えることが可能となる。ＰＮ液晶は、電圧をかけないとＰＮ液晶内部の材料の屈折率が各々異なることから光の散乱を生じ、外観上は不透明の状態である。ＰＮ液晶に電圧をかけると、ＰＮ液晶内部の材料の屈折率が一致し、液晶層は透明となる。
【００２５】
従って、図４に示したＰＮ液晶パネル１１２の電極パターン（ＣＯＭ電極、Ｌ１電極、Ｌ２電極）において、第１の撮像範囲１０９（図３）での撮影状態ではＣＯＭ電極とＬ１電極及びＬ２電極との間に電圧を加えることで液晶層が透明な状態になる。これにより、撮影者がＰＮ液晶パネル１１２において第１の撮像範囲１０９を観察できるようにしている。また、上述した焦点検出動作の状態表示についても、ＰＮ液晶パネル１１２の非透過部を形成し、撮影者にピントの合った被写界位置を知らせることが可能となっている。
【００２６】
ここで、撮像範囲切替機能について説明する。第１の撮像範囲１０９は、ＣＣＤ１０６の有効画素の全てを用いる撮像範囲とし、第２の撮像範囲１１０は、ＣＣＤ１０６の有効画素を部分的に用いる（第１の撮像範囲１０９よりも狭い）撮像範囲とすることを前提とする。撮像範囲切替機能は、視野枠１２３で第１の撮像範囲１０９が観察される状態と、ＰＮ液晶パネル１１２で第２の撮像範囲１１０が観察される状態とを切り替える機能である。
【００２７】
撮像範囲切替機能（切替手段）は、撮像装置本体１００に装備された撮像範囲切替ＳＷ１２４を撮影者が操作することでＣＰＵ１０１により実行される（図８参照）。ただし、後述するように、撮像装置本体１００へのマグニファイヤ１２０の装着時に、撮像範囲が第１の撮像範囲１０９に設定されていた場合には、ＣＰＵ１０１により撮像範囲切替機能が実行され、第２の撮像範囲１１０に切り替わる。第１の撮像範囲１０９を使用して撮影を行うモードを通常撮影モードと呼び、第２の撮像範囲１１０を使用して撮影を行うモードをクロップ撮影モードと呼ぶ。
【００２８】
次に、ＰＮ液晶パネル１１２のファインダ内表示部１１５の観察と、ＰＮ液晶パネル１１２による第２の撮像範囲１１０の観察について図５乃至図７を用いて説明する。
【００２９】
撮像装置は、図５に示すように第１の撮像範囲１０９が観察できるＰＮ液晶パネル１１２の近傍でファインダ内表示部１１５の表示を観察することができる。続いて、撮像範囲切替ＳＷ１２４（図８）を撮影者が操作し撮像範囲切替機能を実行させることにより、第１の撮像範囲１０９を第２の撮像範囲１１０に切り替えた際は、図６に示すようにＰＮ液晶パネル１１２上で第２の撮像範囲１１０を観察できるようになる。しかし、第２の撮像範囲１１０はファインダ視野像として小さく見え、またファインダ内表示部１１５と第２の撮像範囲１１０が離れてしまう。
【００３０】
そこで、本撮像装置は、図２に示したように撮像装置本体１００のファインダ光学系の接眼レンズ１２１の後方にマグニファイヤ１２０を装着することで、第２の撮像範囲１１０をファインダ視野像として大きく観察することが可能である。即ち、図７に示すように、マグニファイヤ１２０の装着により、撮影者は第２の撮像範囲１１０をファインダ視野像として大きく観察できるようになる。また、第２の撮像範囲１１０の外側の近傍でマグニファイヤ内表示部１１８の表示を観察することができる。
【００３１】
ここで、図２に示したマグニファイヤ１２０の詳細を説明する。マグニファイヤ１２０の拡大光学系１３６は次のように設定されている。即ち、第２の撮像範囲１１０は、撮像装置本体１００へのマグニファイヤ１２０の装着により拡大されると共に、第１の撮像範囲１０９とほぼ同じ視野角（又は同じ視野角）にて撮影者が観察可能となるように設定されている。マグニファイヤ内表示部１１８は、撮像装置側のファインダ内表示部１１５と同様の表示が可能である。情報伝達部１３１ｂは、撮像装置側との電気的な接続部である。撮像装置本体１００にマグニファイヤ１２０を装着すると、マグニファイヤ側の情報伝達部１３１ｂと撮像装置側の情報伝達部１３１ａとが電気的に接続される。
【００３２】
撮像装置本体１００にマグニファイヤ１２０を装着した際には、撮像装置側のファインダ内表示部１１５が非表示になり、マグニファイヤ側のマグニファイヤ内表示部１１８のみが表示される。撮像装置側の接眼レンズ１２１を透過した被写界光が、拡大光学系１３６、光路変換プリズム１３４、マグニファイヤ内表示結像レンズ１３５を介してマグニファイヤ内表示部１１８に入射される。これにより、図７に示すように第２の撮像範囲１１０の外側の近傍にマグニファイヤ内表示部１１８が表示されることとなる。つまり、撮影者は撮像装置の各種撮影情報の表示を、第２の撮像範囲１１０を使用して撮影を行うクロップ撮影モードにおいてもファインダ視野の外側の近傍に観察することができるようになる。
【００３３】
更に、マグニファイヤ装着時のマグニファイヤ内表示部１１８に表示される各種撮影情報と、マグニファイヤ非装着時のファインダ内表示部１１５に表示される各種撮影情報は、見かけ上、ほぼ同じ大きさ（又は同じ大きさ）になるよう設定されている。これにより、マグニファイヤ装着時において撮像装置の各種撮影情報もマグニファイヤ非装着時と同様に観察することができる。
【００３４】
尚、本実施の形態では、図２においてマグニファイヤ内表示結像レンズ１３５を光軸上で動かすことにより、マグニファイヤ内表示部１１８の視度を撮影者に合わせて調節可能としてもよい。
【００３５】
また、本実施の形態では、撮像範囲切替機能を実行した後で撮像装置本体１００にマグニファイヤ１２０を装着する場合を例に挙げているが、撮像装置側の情報伝達部１３１ａはマグニファイヤ１２０が装着されたことを検知する手段を兼ねていてもよい。この場合は、撮像装置本体１００へのマグニファイヤ１２０の装着時に、撮像装置の撮像範囲が第１の撮像範囲１０９に設定されていた場合（通常撮影モード）にのみ、撮像範囲切替機能が自動的に実行されるようにしておく。つまり、撮像装置本体１００にマグニファイヤ１２０の装着を行うだけで、撮影者は撮像範囲切替ＳＷ１２４を操作する必要なく第２の撮像範囲１１０に設定（クロップ撮影モード）できるようになる。上記動作の詳細は後述する。
【００３６】
図８は、撮像装置の電気的な構成を示すブロック図である。
【００３７】
図８において、ＣＰＵ１０１は、不揮発性メモリであるＥＥＰＲＯＭ１０１ａを備えている。ＣＰＵ１０１には、ＲＯＭ１０２、ＲＡＭ１０３、データ格納部１０４、画像処理部１０８、表示制御部１１１、レリーズＳＷ１１４、ＤＣ／ＤＣコンバータ１１７、撮像範囲切替スイッチ１２４等が接続されている。ＲＯＭ１０２には、ＣＰＵ１０１で実行する制御プログラムが格納されている。ＣＰＵ１０１は、制御プログラムに基づいて各種処理を行う。各種処理には、画像処理部１０８から出力された撮影画像信号を読み込み、ＲＡＭ１０３へ転送を行う処理、ＲＡＭ１０３から表示制御部１１１へ表示データを転送する処理、画像データをＪＰＥＧ圧縮しファイル形式でデータ格納部１０４へ格納する処理を含む。
【００３８】
また、ＣＰＵ１０１は、ＣＣＤ１０６、ＣＣＤ制御部１０７、画像処理部１０８、表示制御部１１１等に対してデータ取り込み画素数やデジタル画像処理の変更指示を行う。レリーズＳＷ１１４の操作に伴う撮影動作の指示、撮像装置の各素子への電源の供給を制御するための制御信号をＤＣ／ＤＣコンバータ１１７に対して出力する処理等も、ＣＰＵ１０１の制御の基に行われる。また、ＣＰＵ１０１は、表示制御部１１１を制御し、ＰＮ液晶パネル１１２内の第２の撮像範囲１１０の外周部の電源のＯＮ／ＯＦＦ状態（外周部における光の透過／不透過状態）を切り替える制御を行う。
【００３９】
画像処理部１０８は、ＣＣＤ制御部１０７から出力された１０ビットのデジタル信号に画像処理（ガンマ変換、色空間変換、ホワイトバランス、自動露出、フラッシュ補正等）を行い、ＹＵＶ（４：２：２）フォーマットの８ビットのデジタル信号として出力する。撮影レンズ１０５、ＣＣＤ１０６、ＣＣＤ制御部１０７、画像処理部１０８から撮像手段が構成されている。
【００４０】
ＣＣＤ１０６は、ＣＣＤ制御部１０７に接続されており、撮影レンズ１０５によって投影された被写界光をアナログ電気信号に光電変換する。ＣＣＤ１０６は、例えば約１０００万画素（３８８８×２５９２）の有効画素数を有している。本実施の形態では、第１の撮像範囲１０９を使用した撮影時（通常撮影モード）の有効画素数は、約１０００万画素（３８８８×２５９２）とする。また、第２の撮像範囲１１０を使用した撮影時（クロップ撮影モード）の有効画素数は、約５７０万画素（２９１６×１９４４）とする。ＣＣＤ１０６は、ＣＰＵ１０１からの解像度変換指示に従って、水平方向及び垂直方向の間引き画素データの出力が可能である。
【００４１】
ＣＣＤ制御部１０７は、タイミングジェネレータ、ノイズ除去／ゲイン処理回路、Ａ／Ｄ変換回路、画素間引き処理回路（不図示）を備えている。タイミングジェネレータは、ＣＣＤ１０６に転送クロック信号やシャッタ信号を供給する。ノイズ除去／ゲイン処理回路は、ＣＣＤ１０６から出力されるアナログ信号に対しノイズ除去とゲイン処理を行う。Ａ／Ｄ変換回路は、アナログ信号を１０ビットのデジタル信号に変換する。画素間引き処理回路は、ＣＰＵ１０１の解像度変換指示に従って画素間引き処理を行う。
【００４２】
表示制御部１１１は、外部表示部１１３の駆動を行う。外部表示部１１３は、ＣＣＤ１０６にて撮像されＣＣＤ制御部１０７で縦横各々間引き処理された画像をＴＦＴカラー液晶方式で表示する。また、表示制御部１１１は、ファインダ内に撮像装置の各種撮影情報の表示を行うファインダ内表示部１１５、及びＰＮ液晶パネル１１２の駆動を行う。また、表示制御部１１１は、撮像装置に対するマグニファイヤ１２０の装着時にはマグニファイヤ内表示部１１８の駆動も行う。また、表示制御部１１１は、画像処理部１０８から転送されたＹＵＶデジタル画像データ、あるいはデータ格納部１０４の画像ファイルに対してＪＰＥＧの解凍を行ったＹＵＶデジタル画像データを受け取り、ＲＧＢデジタル信号に変換する。その後、ＲＧＢデジタル信号を外部表示部１１３へ出力する。
【００４３】
情報伝達部１３１は、撮像装置側の情報伝達部１３１ａとマグニファイヤ側の情報伝達部１３１ｂから構成されており、ＣＰＵ１０１に接続されている。撮像装置に対するマグニファイヤ１２０の装着時には、ＣＰＵ１０１が情報伝達部１３１を介してマグニファイヤ１２０の装着を検知する。焦点検出制御部１１９は、焦点検出用の一対のラインＣＣＤセンサを備えており、ラインＣＣＤセンサから得た電圧をＡ／Ｄ変換し、ＣＰＵ１０１に送る。また、焦点検出制御部１１９は、ＣＰＵ１０１の指示に基づき、ラインＣＣＤセンサの光量蓄積時間とＡＧＣ（オートゲインコントロール）の制御も行う。
【００４４】
ＲＡＭ１０３は、画像展開エリア１０３ａ、ワークエリア１０３ｂ、ＶＲＡＭ１０３ｃ、一時退避エリア１０３ｄを備えている。画像展開エリア１０３ａは、画像処理部１０８から送られてきた撮影画像データ（ＹＵＶデジタル信号）、データ格納部１０４から読み出されたＪＰＥＧ圧縮画像データを一時的に格納するテンポラリバッファとして使用される。また、画像展開エリア１０３ａは、画像圧縮処理、解凍処理のための画像専用ワークエリアとして使用される。ワークエリア１０３ｂは、各種プログラムを実行するためのエリアである。ＶＲＡＭ１０３ｃは、外部表示部１１３に表示する表示データを格納するメモリである。一時退避エリア１０３ｄは、各種データを一時退避させるためのエリアである。
【００４５】
データ格納部１０４は、ＣＰＵ１０１によりＪＰＥＧ圧縮された撮影画像データ、アプリケーションから参照される各種付属データ等をファイル形式で格納するフラッシュメモリとして構成されている。
【００４６】
レリーズＳＷ１１４は、撮影動作の開始を指示するためのものであり、不図示のレリーズボタンの押下圧に対応した２段階のスイッチポジションを有する。１段目のスイッチポジション（スイッチＳＷ１：ＯＮ）の検出で、撮像装置の設定（ホワイトバランス、測光等）のロック動作が行われ、２段目のスイッチポジション（スイッチＳＷ２：ＯＮ）の検出で、被写界画像信号の取り込み動作が行われる。
【００４７】
測光制御部１３２は、ＣＰＵ１０１の指示に従って測光センサ１３０を駆動制御することで被写界輝度信号を取り込み、ＣＰＵ１０１に送る。基本的な測光動作としては、ＣＰＵ１０１の制御により、測光センサ１３０における撮影被写界を３×５に分割した測光領域において各々発生した被写界輝度信号をＡ／Ｄ変換し、各々８ビットのデジタル信号を生成する。
【００４８】
更に、デジタル信号に対し撮影レンズ１０５の明るさを示すＦｎｏ．（実効Ｆｎｏ．）の値を補正し、測光センサ１３０から出力される被写界輝度信号のバラツキの補正（レベル・ゲインの調整）を行う。これに加えてレンズ情報等から測光補正を行い、最終的に被写界輝度情報を得る。被写界輝度情報に基づき撮像装置の露出演算を行い、撮像装置のシャッタスピードと撮影レンズ１０５の絞りを適切に制御することで適切な露光を得ることができる。
【００４９】
電池１１６は、リチャージャブルの２次電池（あるいは乾電池）として構成されている。ＤＣ／ＤＣコンバータ１１７は、電池１１６からの電源供給を受け、昇圧及びレギュレーションを行うことにより複数の電源を作り出し、ＣＰＵ１０１及び各素子に必要な電圧の電源を供給する。ＤＣ／ＤＣコンバータ１１７は、ＣＰＵ１０１からの制御信号により、各々の電圧供給の開始、停止を制御できる。
【００５０】
尚、本実施の形態では、撮像装置本体１００に対するマグニファイヤ１２０の装着時には、マグニファイヤ内表示部１１８も情報伝達部１３１を介してＣＰＵ１０１からの制御信号により電圧供給の開始／停止を制御されることとする。
【００５１】
次に、上記の構成を有する本実施の形態の撮像装置の動作について図９乃至図１１のフローチャートを参照しながら説明する。
【００５２】
最初に、撮像装置の基本動作について図９のフローチャートに基づき説明する。
【００５３】
図９は、撮像装置の基本動作を示すフローチャートである。
【００５４】
図９において、撮像装置が作動していない状態から撮影者が不図示の電源スイッチをＯＮにすると撮影動作が開始される（ステップＳ２００）。次に、撮像装置のＣＰＵ１０１は、撮影者によりレリーズＳＷ１１４が押し込まれてレリーズＳＷ１１４のスイッチＳＷ１がＯＮされるまで待機する（ステップＳ２０１）。ＣＰＵ１０１は、スイッチＳＷ１がＯＮされたことを検知すると、測光センサ１３０から撮影対象の被写界を３×５に分割した測光領域において被写界輝度信号を得る測光動作を行った後、被写界輝度情報としてＲＡＭ１０３に記憶する（ステップＳ２０２）。
【００５５】
また、ＣＰＵ１０１は、制御プログラムを実行することにより、上記測光動作で得られた被写界輝度情報に基づいて、所定の測光アルゴリズムによる演算に従って撮像装置の露出値である撮影レンズ１０５の絞り値とシャッタ秒時を決定する。尚、上記測光アルゴリズムによる演算は、単純な加算平均による演算でもよいし、後述のステップＳ２０３で決定される焦点検出領域に対応した測光領域に最大の重み付けを行った演算でもよい。
【００５６】
次に、ＣＰＵ１０１は、撮影レンズ１０５の駆動を行う前の状態で焦点検出制御部１１９により焦点検出動作を行い、焦点検出制御部１１９の出力信号に従ってレンズ駆動部１２５に信号を送って所定量だけ撮影レンズ１０５を駆動させる（ステップＳ２０３）。次に、レリーズＳＷ１１４のスイッチＳＷ１がＯＮされている場合は（ステップＳ２０４でＹＥＳ）、ＣＰＵ１０１は、撮影者によりレリーズＳＷ１１４のスイッチＳＷ２がＯＮされたか否かを判定する（ステップＳ２０５）。ＣＰＵ１０１は、スイッチＳＷ２がＯＮされたことを検知した場合、不図示のシャッタ制御部、絞り駆動部、ＣＣＤ制御部１０７にそれぞれ信号を送信して、公知の撮影動作を行う（ステップＳ２０６）。
【００５７】
尚、ステップＳ２０４でレリーズＳＷ１１４のスイッチＳＷ１のＯＦＦを検知した場合は、ステップＳ２０１に戻り、撮影者によるスイッチＳＷ１のＯＮ操作を待機する待機状態となる。また、ステップＳ２０５でレリーズＳＷ１１４のスイッチＳＷ２がＯＮでない場合は、ステップＳ２０４に戻り、ステップＳ２０５で撮影者によるスイッチＳＷ２のＯＮ操作を待機する待機状態となる。上記ステップＳ２０６における撮影動作は、まず不図示のモータ制御部を介してモータに通電して主ミラー１２６をアップさせ、撮影レンズ１０５の絞りを絞り込む。その後、シャッタ１３３のマグネットＭＧ−１に通電し、シャッタ１３３の先幕を開放することでＣＣＤ１０６への被写界光の蓄積を開始する。所定のシャッタ秒時が経過した後、シャッタ１３３のマグネットＭＧ−２に通電し、シャッタ１３３の後幕を閉じることでＣＣＤ１０６への被写界光の蓄積を終了する。次に、モータに再度通電し、ミラーダウン、シャッタチャージを行い、一連のシャッタレリーズシーケンスの動作（撮影動作）を終了する。このような撮影動作によって、ＣＣＤ１０６には被写界像からの光量が蓄積されることになる。
【００５８】
上記ステップＳ２０６で、ＣＰＵ１０１は、撮影動作によってＣＣＤ１０６に露光されＣＣＤ１０６により光電変換された被写界像を画像処理部１０８にてデジタルの画像データに変換した後、ＲＡＭ１０３の画像展開エリア１０３ａへ一時的に格納する。
【００５９】
次に、ＣＰＵ１０１は、画像展開エリア１０３ａに格納された画像データを外部表示部１１３に表示するために、画像データを縦横に間引き処理された全体画像データに変換する。更に、ＣＰＵ１０１は、全体画像データを表示用のＶＲＡＭ１０３ｃに格納し、全体画像を外部表示部１１３に表示する（ステップＳ２０７）。これにより、撮影者は撮影された画像の全体像を確認することができる。一方、ＣＰＵ１０１は、ＶＲＡＭ１０３ｃに格納された全体画像データをＪＰＥＧ圧縮処理した後、データ格納部１０４（フラッシュメモリ）に画像データとして記録する。
【００６０】
次に、ＣＰＵ１０１は、撮影者によりレリーズＳＷ１１４のスイッチＳＷ１がＯＮ操作されるまで待機する（ステップＳ２０８）。ＣＰＵ１０１は、スイッチＳＷ１がＯＮ操作されるまでの間、全体画像を外部表示部１１３に表示し続ける。スイッチＳＷ１がＯＮされたことを検知した場合、ＣＰＵ１０１は、外部表示部１１３の撮影画像表示を消灯し、ステップＳ２０５に戻り、撮影者によるスイッチＳＷ２のＯＮ操作を待機する待機状態となる。スイッチＳＷ２のＯＮ操作がない場合、ＣＰＵ１０１は、ステップＳ２０１に戻り、撮影者によるスイッチＳＷ１のＯＮ操作を待機する待機状態となる。
【００６１】
次に、撮像装置に対するマグニファイヤ１２０の非装着時と装着時の動作について説明する。
【００６２】
図１０は、撮像装置のマグニファイヤ非装着時の撮像範囲切替動作を示すフローチャート（サブルーチン１）である。
【００６３】
図１０において、撮影者が撮像装置本体１００に装備された撮像範囲切替ＳＷ１２４を操作すると、ＣＰＵ１０１は、撮像範囲切替機能を実行する（ステップＳ２０９）。撮像範囲切替機能は、上述した通り、視野枠１２３で第１の撮像範囲１０９が観察される状態と、ＰＮ液晶パネル１１２で第２の撮像範囲１１０が観察される状態とを切り替える機能である。撮影者が第１の撮像範囲１０９もしくは第２の撮像範囲１１０を選択すると、ＣＰＵ１０１は、選択された第１の撮像範囲１０９もしくは第２の撮像範囲１１０を撮像範囲として設定する（ステップＳ２１０）。
【００６４】
ＣＰＵ１０１は、撮影者が選択した撮像範囲を観察できるように、表示制御部１１１を制御することで、ＰＮ液晶パネル１１２内の第２の撮像範囲１１０の外周部の電源のＯＮ／ＯＦＦ状態を切り替える（ステップＳ２１１）。つまり、第２の撮像範囲１１０の外周部における光の透過／不透過状態が切り替わることで、ステップＳ２１０で設定した撮像範囲を撮影者が観察できるようになる。更に、撮像装置の撮影モードは、ステップＳ２１０の設定に応じて、第１の撮像範囲１０９に対応した通常撮影モード（ＣＣＤ１０６の有効画素全てを使用して撮影を行うモード）、もしくは、第２の撮像範囲１１０に対応したクロップ撮影モードに切り替わる。
【００６５】
その後、ＣＰＵ１０１は、図９のフローチャートで説明した撮像装置の基本動作のステップＳ２０１に戻り、撮影者によるレリーズＳＷ１１４のスイッチＳＷ１のＯＮ操作を待機する（ステップＳ２１２）。他方、ステップＳ２０９で撮影者が撮像範囲切替ＳＷ１２４を操作しない場合は、ＣＰＵ１０１は、撮像範囲切替機能を実行しない。その後、ＣＰＵ１０１は、現在の撮影モードを維持したまま撮像装置の基本動作のステップＳ２０１に戻り、撮影者によるレリーズＳＷ１１４のスイッチＳＷ１のＯＮ操作を待機する（ステップＳ２１２）。
【００６６】
図１１は、撮像装置のマグニファイヤ装着時のクロップ撮影動作を示すフローチャート（サブルーチン２）である。
【００６７】
図１１において、撮影者がマグニファイヤ１２０を撮像装置本体１００の接眼レンズ１２１の後方側に装着すると、ＣＰＵ１０１は、情報伝達部１３１を介しマグニファイヤ１２０の装着を検知する（ステップＳ２１３）。次に、ＣＰＵ１０１は、撮影者により第１の撮像範囲１０９が選択されているか第２の撮像範囲１１０が選択されているかを判断する（ステップＳ２１４）。第２の撮像範囲１１０が選択されている場合は、ステップＳ２１７に移行する。第１の撮像範囲１０９が選択されている場合は、ＣＰＵ１０１は、第２の撮像範囲１１０に対応したクロップ撮影モードに設定する（ステップＳ２１５）。次に、ＣＰＵ１０１は、ＰＮ液晶パネル１１２で第２の撮像範囲１１０を観察できるように切り替える（ステップＳ２１６）。
【００６８】
上述した通り、撮像装置本体１００にマグニファイヤ１２０を装着した際に、撮像範囲が第１の撮像範囲１０９に設定されていた場合にのみ、撮像範囲切替機能が自動的に実行される。即ち、撮像装置本体１００にマグニファイヤ１２０の装着を行うだけで、撮影者は撮像範囲切替ＳＷ１２４を操作する必要なく第２の撮像範囲１１０に対応したクロップ撮影モードに設定することができる。
【００６９】
次に、ＣＰＵ１０１は、表示制御部１１１に制御信号を送信することにより、ファインダ内部表示部１１５をＯＦＦにし（ステップＳ２１７）、マグニファイヤ内表示部１１８をＯＮにする（ステップＳ２１８）。即ち、撮像装置本体１００にマグニファイヤ１２０を装着した際、撮像装置側のファインダ内表示部１１５が非表示になり、マグニファイヤ側のマグニファイヤ内表示部１１８のみが表示される。これにより、撮影者はマグニファイヤ装着時においても、マグニファイヤ非装着時と同様に視野範囲の外側の近傍に撮像装置の各種撮影情報を観察することができるようになる。
【００７０】
その後、ＣＰＵ１０１は、図９のフローチャートで説明した撮像装置の基本動作のステップＳ２０１に戻り、撮影者によるレリーズＳＷ１１４のスイッチＳＷ１のＯＮ操作を待機する（ステップＳ２１９）。
【００７１】
以上説明したように、本実施の形態によれば以下の作用効果を奏する。撮影者が観察するための撮像範囲が第１の撮像範囲１０９から第２の撮像範囲１１０に切り替えられた場合に、撮像装置本体にマグニファイヤ１２０が装着された場合には、次の表示を行う。ファインダ内表示部１１５の撮影情報を情報伝達部１３１を介してマグニファイヤ内表示部１１８により第２の撮像範囲１１０の外側の近傍に表示する。
【００７２】
これにより、撮影者は、第２の撮像範囲１１０を使用して撮影を行うクロップ撮影時においても非クロップ撮影時と同様な見やすいファインダ視野像を観察することが可能となる。また、従来のように撮像装置本体にファインダ視野枠の移動機構や接眼レンズの変倍機構を設ける必要がないため、撮像装置本体の機構の簡略化により、撮像装置本体の部品点数の増加とコスト上昇を抑制できると共に大型化を防ぐことが可能となる。
【符号の説明】
【００７３】
１０１  ＣＰＵ
１０９  第１の撮像範囲
１１０  第２の撮像範囲
１１５  ファインダ内表示部
１１８  マグニファイヤ内表示部
１２０  マグニファイヤ
１２４  撮像範囲切替スイッチ
【図１】
2011158762.tif 000003
【図２】
2011158762.tif 000004
【図３】
2011158762.tif 000005
【図４】
2011158762.tif 000006
【図５】
2011158762.tif 000007
【図６】
2011158762.tif 000008
【図７】
2011158762.tif 000009
【図８】
2011158762.tif 000010
【図９】
2011158762.tif 000011
【図１０】
2011158762.tif 000012
【図１１】
2011158762.tif 000013